(57)【要約】【課題】遊技場の島設備の構成が異なっても共通部品として使用する。【解決手段】キャッシュボックス６５のボックス本体６６を上面と下面とが開放された、断面が矩形の筒形状から構成する。また、ボックス本体６６の中空部分に、側壁７１から側壁７３に向けて上がり傾斜する傾斜板部８０ａを備えた区画壁８０を設け、その一端側を側壁７１と連なるように設ける。これにより、側壁７１，７２，７４と区画壁８０によって囲まれ、且つ上面のみが開口された領域をメダル受容領域８５として、側壁７２〜７４と区画壁８０とによって囲まれ、上面及び下面が開口された領域をメダル排出領域８６として使用する。例えば、メダル回収機構がない島設備の場合には、メダル受容領域８５が上面に露呈された状態で用い、メダル回収機構がある島設備の場合には、キャッシュボックス６５の上下を反転させた状態で設置する。【選択図】図３
2008011909.tif 000002
【特許請求の範囲】
【請求項１】
筐体の内部に設けられ、該筐体の内部に設置された払出装置の貯留部から排出される遊技媒体が流入する箱本体を有する遊技媒体受容箱であって、
前記箱本体の内部の領域を、前記貯留部から排出される遊技媒体を通過させて前記箱本体の外部に排出する遊技媒体排出領域と、前記貯留部から排出される遊技媒体を受容する遊技媒体受容領域とに区画する区画壁を設けたことを特徴とする遊技媒体受容箱。
【請求項２】
前記箱本体は、隣り合う側壁が略直交する矩形の筒形状からなり、
前記区画壁は、前記箱本体を構成する側壁のうち、向かい合う一対の側壁の一方の側壁と前記箱本体の高さ方向の一端部で連設され、前記一対の側壁の他方の側壁であって、前記箱本体の高さ方向の他端部近傍に、前記他方の側壁に対して所定の間隔を空けた傾斜板状から形成されるとともに、前記区画壁は、その傾斜方向と直交する両端部が前記一対の側壁以外の側壁とそれぞれ連設されており、
前記遊技媒体受容領域を、前記区画壁、前記一方の側壁、及び前記向かい合う一対の側壁以外の側壁によって形成される有底筒形状の領域とし、前記遊技媒体排出領域を、前記区画壁、前記他方の側壁、及び前記向かい合う一対の側壁以外の側壁によって形成される略筒形状の領域としたことを特徴とする請求項１記載の遊技媒体受容箱。
【請求項３】
請求項１又は２記載の遊技媒体受容箱と前記払出装置とが内部に設けられた筐体を備え、
前記筐体は、前記遊技媒体受容箱が配設される底面に、前記遊技媒体排出領域を落下する遊技媒体を回収する回収口を備えていることを特徴とする遊技機。
【発明の詳細な説明】
【技術分野】
【０００１】
本発明は、払出装置の貯留部から排出されるメダルなどの遊技媒体を受容する遊技媒体受容箱、及びこの受容箱が配設されるスロットマシンなどの遊技機に関するものである。
【背景技術】
【０００２】
本明細書中では遊技機の１つとしてパチスロ機などのスロットマシンを例に挙げて説明しているため、遊技を行うための遊技媒体としてメダルを用いて説明するが、遊技媒体としてはパチンコ球など他の媒体も含む。
【０００３】
パチンコ店などの遊技場に設置して使用されるスロットマシンはパチスロ機と称され、メダルに一定の価値が与えられて、遊技を行って獲得したメダルを種々の景品に交換することができる。このスロットマシンは、前面が開口された収納箱と、この収納箱の前面を覆うように設けられた前面扉とからなる筐体の内部に、複数の図柄が外周面に配列されたリールや、入賞の際にメダルの払い出しを行うホッパー装置等や、これら装置を駆動制御する制御回路基板などが収納されている。
【０００４】
上述したように、ホッパー装置は、遊技を行って入賞を得た場合にメダルを払い出す装置であり、遊技において入賞が得られた場合に確実にメダルの払い出しが行われるようにメダルが貯留される貯留部を備えている。なお、遊技が開始されると、メダル投入口から直接投入されたメダルが貯留部に送り込まれるので、ホッパー装置の貯留部には、ある程度のメダルが常時貯留された状態で保持されることになる。このようなホッパー装置が組み込まれたスロットマシンで遊技が行われた場合に、通常の遊技が行われる通常モードよりも入賞が得やすくなるＢＢモードやＲＢモードに移行しない場合には、ホッパー装置の貯留部には、メダル投入口から投入されるメダルによって満杯となる、所謂オーバーフロー状態となる。このようなオーバーフロー状態を防止するために、ホッパー装置の貯留部の側面にはオーバーフロー用の排出口が設けられ、このオーバーフロー用の排出口からメダルが排出されることになる。
【０００５】
このオーバーフロー用の排出口から排出されるメダルは、ホッパー装置の側方に配設されたキャッシュボックスと呼ばれるオーバーフロー用のメダル回収箱（遊技媒体受容箱）に受容されるか、島設備としてメダル回収装置が設置されている遊技場においては、筐体の底面に設けられた回収口を介して自動的に回収されることになる。このメダル回収箱は、その底面の一部を切り取ることで開口が形成されるように構成されており、例えば、メダル回収装置を備えている遊技場においては、オーバーフロー用の排出口から排出されるメダルが筐体の内部に散らばらないように、メダル回収箱の底面に開口が形成された状態にして筐体内部に配設していることが多い。
【特許文献１】特開２００２−２７２９０６号公報
【発明の開示】
【発明が解決しようとする課題】
【０００６】
このようなスロットマシンが配設される遊技場においては、遊技者の興趣を惹くために、設置されているスロットマシンを新しい機種のスロットマシンに交換する、所謂台交換を行うのが一般的である。このように台交換を行って遊技場の島設備から取り外されたスロットマシンは、部品毎に解体されるか、他の遊技場に設置されることが多い。例えばメダル回収装置が島設備として設置されている遊技場から取り外されたスロットマシンが、メダル回収装置が設置されていない遊技場に設置し直された場合、底面が開口されたメダル回収箱では、メダルの回収が行えないことから、新たにメダル回収箱を購入する必要があり、設備投資の費用が嵩むという欠点がある。
【０００７】
本発明は、上記課題を解決するためになされたものであり、遊技場の島設備の構成が異なっても共通部品として使用することができるようにした遊技媒体受容箱及び遊技機を提供することを目的とする。
【課題を解決するための手段】
【０００８】
上記目的を達成するために、本発明の遊技媒体受容箱は、遊技機本体の内部に設けられ、該遊技機本体の内部に設置された払出装置の貯留部から排出される遊技媒体が流入する箱本体を有する遊技媒体受容箱であって、前記箱本体の内部の領域を、前記貯留部から排出される遊技媒体を通過させて前記箱本体の外部に排出する遊技媒体排出領域と、前記貯留部から排出される遊技媒体を受容する遊技媒体受容領域とに区画する区画壁を設けたことを特徴とする。
【０００９】
また、前記箱本体は、隣り合う側壁が略直交する矩形の筒形状からなり、前記区画壁は、前記箱本体を構成する側壁のうち、向かい合う一対の側壁の一方の側壁と前記箱本体の高さ方向の一端部で連設され、前記一対の側壁の他方の側壁であって、前記箱本体の高さ方向の他端部近傍に、前記他方の側壁に対して所定の間隔を空けた傾斜板状から形成されるとともに、前記区画壁は、その傾斜方向と直交する両端部が前記一対の側壁以外の側壁とそれぞれ連設されており、前記遊技媒体受容領域を、前記区画壁、前記一方の側壁、及び前記向かい合う一対の側壁以外の側壁によって形成される有底筒形状の領域とし、前記遊技媒体排出領域を、前記区画壁、前記他方の側壁、及び前記向かい合う一対の側壁以外の側壁によって形成される略筒形状の領域としたことを特徴とする。
【００１０】
また、本発明の遊技機は、上述した遊技媒体受容箱と前記払出装置とが内部に設けられた筐体を備え、前記筐体は、前記遊技媒体受容箱が配設される底面に、前記遊技媒体排出領域を落下する遊技媒体を回収する回収口を備えていることを特徴とする。
【発明の効果】
【００１１】
本発明の遊技媒体受容箱によれば、遊技機本体の内部に設けられ、該遊技機本体の内部に設置された払出装置の貯留部から排出される遊技媒体が流入する箱本体を有する遊技媒体受容箱であって、前記箱本体の内部の領域を、前記貯留部から排出される遊技媒体を通過させて前記箱本体の外部に排出する遊技媒体排出領域と、前記貯留部から排出される遊技媒体を受容する遊技媒体受容領域とに区画する区画壁を設けたから、例えばメダル等の遊技媒体回収機構が設置されている島設備、或いは設置されていない島設備のそれぞれにおいて遊技媒体受容箱の使用状態を変えるだけで済むので、遊技媒体受容箱を共通の部品として使用することが可能である。
【００１２】
また、前記箱本体は、隣り合う側壁が略直交する矩形の筒形状からなり、前記区画壁は、前記箱本体を構成する側壁のうち、向かい合う一対の側壁の一方の側壁と前記箱本体の高さ方向の一端部で連設され、前記一対の側壁の他方の側壁であって、前記箱本体の高さ方向の他端部近傍に、前記他方の側壁に対して所定の間隔を空けた傾斜板状から形成されるとともに、前記区画壁は、その傾斜方向と直交する両端部が前記一対の側壁以外の側壁とそれぞれ連設されており、前記遊技媒体受容領域を、前記区画壁、前記一方の側壁、及び前記向かい合う一対の側壁以外の側壁によって形成される有底筒形状の領域とし、前記遊技媒体排出領域を、前記区画壁、前記他方の側壁、及び前記向かい合う一対の側壁以外の側壁によって形成される略筒形状の領域としたから、例えば、遊技媒体受容領域を使用する場合には、遊技媒体受容領域が露呈されるように、また、遊技媒体排出領域を使用する場合には、遊技媒体受容領域が露呈されないように、つまり、遊技媒体受容箱の使用状態によって、遊技媒体受容箱の上下を反転させるだけで、それぞれの領域を使用することができる。これにより、メダル等の遊技媒体回収機構が設置されている島設備であっても、メダル等の遊技媒体回収機構が設置されていない島設備であっても、遊技媒体受容箱を共通の部品として使用することができる。
【００１３】
また、区画壁を傾斜板状から形成することで、遊技媒体排出領域を使用する場合には、遊技媒体排出領域の開口面積を大きいので、払出装置の貯留部から排出される遊技媒体を遊技媒体排出領域を介して確実に筐体外部に排出させることができる。また、同様にして、遊技媒体受容領域を使用する場合には、遊技媒体排出領域の開口面積が大きいので、払出装置の貯留部から排出される遊技媒体を確実に遊技媒体受容領域に受容させることができる。
【００１４】
また、本発明の遊技機は、上述した遊技媒体受容箱と前記払出装置とが内部に設けられた筐体を備え、前記筐体は、前記遊技媒体受容箱が配設される底面に、前記遊技媒体排出領域を落下する遊技媒体を回収する回収口を備えているから、例えば遊技媒体受容箱の使用状態（配置状態）を使い分けることで、遊技機が、例えば遊技媒体回収機構を備えた遊技場から遊技媒体回収機構が設置されていない遊技場に設置し直された場合、或いはその逆の場合において、遊技媒体受容箱を新たに購入する必要はない。
【発明を実施するための最良の形態】
【００１５】
図１は、島設備に配設されるスロットマシン（遊技機）の近傍の構成を示す斜視図である。スロットマシン１０は、遊技場の島設備１１に所定の間隔を空けて設置されている。島設備１１に設置されるスロットマシン１０とスロットマシン１０との間となる箇所には、メダル貸出機１２が設けられている。このメダル貸出機１２は、その前面１２ａに紙幣を投入する投入口１３や、貸し出し表示など表示を行う表示画面１４、また、紙幣を投入することで貸し出されるメダルが払い出される払い出し口１５などが設けられている。また、スロットマシン１０の上方には、例えば遊技履歴や、遊技状態を表示する表示装置１６が設けられている。
【００１６】
スロットマシン１０は、上部扉２１と下部扉２２との２枚の扉から構成された前面扉２０と、該前面扉２０が回動自在に組み付けられる収納箱２５とからなる筐体３０を備えている。上部扉２１の前面には、スロットマシン１０のイメージを示すキャラクターやデザインが施された装飾パネル３１が設けられている。この装飾パネル３１の略中央には、筐体３０の内部に配置されたリール３２〜３４の図柄を表示する表示窓３５が設けられる他、遊技の際の演出表示や、デモンストレーション表示が行われる、例えば液晶表示装置などの表示装置３６が設けられている。
【００１７】
一方、下部扉２２は、メダル（遊技媒体）４０を投入するためのメダル投入口４１が設けられている。このメダル投入口４１の側部には、投入されたメダル４０を３枚使用して遊技を行う際に操作されるＭＡＸベットボタン４２が設けられている。この他に、遊技の開始の際に操作されるスタートレバー４５や、スタートレバー４５を操作することで回転するリールを停止させるストップボタン４６〜４８が設けられている。この下部扉２２の下部には、遊技を行って入賞を得たときに払い出されるメダル４０を受容するメダル受け皿５０が設けられている。なお、符号５１は払い出し口であり、この払い出し口５１を介してメダル４０がメダル受け皿５０に払い出される。
【００１８】
図２に示すように、筐体３０の内部であって、その下部には、メダル４０の払い出しを行うホッパー装置（払出装置）５５が設置される。このホッパー装置５５は、その前面に排出口５６を備えており、スロットマシン１０で遊技を行って入賞を得た場合に入賞に対するメダル４０が排出口５６から排出される。この排出口５６から排出されるメダル４０は、下部扉２２に設けられた排出シュート５７の内部を落下した後、払い出し口５１からメダル受け皿５０に払い出される。
【００１９】
このホッパー装置５５は、その上部に、メダル４０を貯留する貯留部６０が設けられており、この貯留部６０にメダル投入口４１から投入されたメダル４０が送り込まれる。この貯留部６０の側方には、貯留部６０に貯留されるメダル４０が満杯になると、それ以降に送り込まれるメダル４０を後述するキャッシュボックス（遊技媒体受容箱）６５に送り出す送出口６１が設けられている。なお、符号６２は収納箱２５の底面２５ａに設けられる回収口であり、例えば島設備１１としてメダル回収機構を備えている遊技場の場合には、送出口６１から送り出されたメダル４０は、回収口６２を介してメダル回収機構９５（図６参照）によって回収される。
【００２０】
このホッパー装置５５の側方には、上述した送出口６１から送り出されたメダル４０を受容するキャッシュボックス（遊技媒体受容箱）６５が設置される。図３及び図４に示すように、キャッシュボックス６５は、略筒状のボックス本体（箱本体）６６と、その前面の上端縁部に設けられる把手部６７とから構成されている。このキャッシュボックス６５は、貯留部６０の送出口６１からのメダル４０を受容する際に用いる第１配置状態（図３参照）と、貯留部６０の送出口６１からのメダル４０を筐体３０の外部へと排出する第２配置状態（図４参照）との２つの配置状態のいずれかの配置状態で筐体３０の内部に設置される。なお、第１配置状態から第２配置状態へと変更する、或いは第２配置状態から第１配置状態へと変更する場合には、キャッシュボックス６５の上下を反転させることで、その配置状態が変更される。
【００２１】
このボックス本体６６は、その上面と下面とが開口され、ボックス本体６６を構成する側壁７１〜７４のうち、隣り合う側壁がそれぞれ直交する矩形の筒形状から構成される。このボックス本体６６を上方から見たときに、ボックス本体６６を構成する側壁７１〜７４のうちの長手方向に沿った向かい合う側壁７２，７４の上端部の形状がボックス本体６６から突出する略コ字状から構成されている。この略コ字状からなる領域７５，７６は、送出口６１から送り出されるメダル４０が、後述するメダル受容領域８５からから筐体３０の内部に落下することを防止するために設けられている。
【００２２】
ボックス本体６６の内部の中空部分には、このボックス本体６６の側壁７１〜７４のうち、長手方向に直交する側壁７１から向かい合う側壁７３に向けて上り傾斜する略平板状の区画壁８０が設けられている。図３に示すように、区画壁８０は、その傾斜方向の両端部が上方に向けて折り曲げられた形状からなる。これにより、この区画壁８０は、図３においてボックス本体６６の側壁７１から側壁７３に向けて上り傾斜する傾斜部８０ａと、傾斜部８０ａと側壁７１とを連設させる連設部８０ｂと、前記傾斜部８０ａであって、連設部８０ｂとは反対側の端部に連なる案内部８０ｃとから構成されている。傾斜部８０ａは、傾斜方向の端部のうち側壁７１側の端部が、ボックス本体６６の高さ方向における下端部近傍に位置し、側壁７３側の端部が、ボックス本体６６の高さ方向における上端部に、それぞれ位置するように配置される。連設部８０ｂは、側壁７１と垂直となるように側壁と連設されている。また、案内部８０ｃは、側壁７３と平行で、且つ側壁７２，７４と直交しており、また、側壁７３と所定の間隔を空けて配置される。
【００２３】
また、この区画壁８０は、その傾斜方向に直交する両端部が、側壁７２，７４とそれぞれ連設されている。これにより、ボックス本体６６の側壁７１、７２、７４と区画壁８０とによって囲まれた有底筒状の領域８５がメダル受容領域（以下、メダル受容領域８５と称す）となる。なお、上述した第１配置状態では、このメダル受容領域（遊技媒体受容領域）８５がキャッシュボックスの上方から露呈された状態となる。この第１配置状態では、区画壁８０は、側壁７１から側壁７３に向けて上り傾斜した状態となるので、メダル受容領域８５は、上面側から下面側に向けて、その断面積が小さくなる。
【００２４】
また、ボックス本体６６の側壁７２，７３，７４と区画壁８０とによって囲まれた略筒状の領域８６が、メダル排出領域（以下、メダル排出領域８６と称する）となる。なお、上述した第２配置状態では、このメダル排出領域（遊技媒体排出領域）８６がキャッシュボックスの上方から露呈された状態となる。この第２配置状態では、区画壁８０は、側壁７１から側壁７３に向けて下り傾斜した状態となるので、メダル排出領域８６は、上面側から下面側に向けて、その断面積が小さくなる。
【００２５】
次に、本実施形態の作用について説明する。例えば、島設備１１としてメダル回収機構を備えていない遊技場にスロットマシン１０が配設された場合には、筐体３０の内部に設置されるキャッシュボックス６５は、第１配置状態で設置される。図５に示すように、キャッシュボックス６５が第１配置状態で設置された場合、キャッシュボックス６５はメダル受容領域８５が露呈された状態で保持される。なお、図５においては、収納箱２５の底面２５ａに設けられた回収口６２はカバー９０によって被覆されているが、カバー９０によって回収口６２を被覆する必要はない。
【００２６】
この場合、スロットマシン１０における遊技が行われ、メダル投入口４１から投入されたメダル４０によってホッパー装置５５の貯留部６０が満杯になると、それ以降にメダル投入口４１から投入されたメダル４０は、貯留部６０に送り込まれた後、貯留部６０の側面に設けられた送出口６１から排出されることになる。送出口６１から排出されるメダル４０は、キャッシュボックス６５に向けて落下し、キャッシュボックス６５のメダル受容領域８５に貯留されていく。このとき、区画壁８０が側壁７１に向けて下り傾斜している状態であり、また、メダル受容領域８５の開口面積が大きいことから、確実にメダル受容領域８５の内部に落下する。
【００２７】
この過程で、例えばメダル４０は、区画壁８０を滑り落ちていくか、区画壁８０に当接した後、キャッシュボックス６５の前方に向けて跳ね返り、メダル４０がメダル受容領域８５の下方から貯留されていく。これにより、貯留部６０から送り出されたメダル４０はキャッシュボックス６５に貯留されていく。なお、キャッシュボックス６５に貯留されるメダル４０の貯留量は、例えば貯留検知センサ（図示省略）などによって検知され、キャッシュボックス６５に所定量のメダル４０が貯留されたことが検知された場合に、遊技場の店員によってキャッシュボックス６５のメダル受容領域８５に貯留されたメダル４０が回収される。
【００２８】
一方、島設備１１としてメダル回収機構９５を備えている遊技場にスロットマシン１０が配設された場合には、筐体３０の内部に設置されるキャッシュボックス６５は、第２配置状態で設置される。図６に示すように、キャッシュボックス６５が第２配置状態となる場合、キャッシュボックス６５は、メダル排出領域８６が露呈された状態で保持される。この場合、島設備１１としてメダル回収機構９５を備えているから、収納箱２５の底面２５ａに設けられた回収口６２は露呈された状態、つまりカバー９０が取り外された状態となる。
【００２９】
この場合、スロットマシン１０における遊技が行われ、メダル投入口４１から投入されたメダル４０によってホッパー装置５５の貯留部６０が満杯になると、それ以降にメダル投入口４１から投入されたメダル４０は、貯留部６０に設けられた送出口６１から排出されることになる。送出口６１から排出されるメダル４０は、キャッシュボックス６５に向けて落下する。キャッシュボックス６５は第２配置状態で設置されており、メダル排出領域の開口面積が大きい。これにより、送出口６１から排出されるメダル４０は、メダル排出領域８６の内部に落下する。この場合、区画壁８０は、側壁７３に向けて下り傾斜した状態であることから、メダル排出領域８６の内部に落下したメダル４０は、区画壁８０を滑り落ちていく、或いは区画壁８０によって側壁７３に向けて跳ね返った後、回収口６２に向けて落下する。このようにして、メダル排出領域８６の内部に落下したメダル４０は、その後、収納箱２５の底面２５ａに設けられた回収口６２を介してメダル回収機構９５のノズル９６に受容され、回収される。
【００３０】
例えば、メダル回収機構９５が設置されていない島設備１１に配設されたスロットマシン１０を、メダル回収機構９５が設置されている島設備１１に配設し直した場合には、キャッシュボックス６５の上下を反転させて、第１配置状態から第２配置状態として筐体３０の内部に設置することで、メダル排出領域８６を介してメダル回収機構９５へとメダル４０を排出させることができる。一方、メダル回収機構９５が設置されている島設備１１に設置されたスロットマシン１０を、メダル回収機構９５が設置されていない島設備１１に配設し直した場合には、キャッシュボックス６５の上下を反転させて、第２配置状態から第１配置状態として筐体３０の内部に設置する。これにより、キャッシュボックス６５のメダル受容領域８５にメダルを貯留することが可能となる。このように、メダル回収機構９５が設置されている島設備１１にスロットマシン１０が配設された場合であっても、メダル回収機構９５が設置されていない島設備１１にスロットマシン１０が配設された場合であっても、予め設置されているキャッシュボックス６５の配置状態を変更するだけでいいので、遊技場の管理者は、新たなキャッシュボックス６５を購入する必要が無い。
【００３１】
本実施形態において、区画壁の傾斜を、キャッシュボックスの長手方向に直交する側壁から、向かい合う側壁に向けた傾斜としているが、これに限定する必要はなく、区画壁の傾斜を、キャッシュボックスの上面において長手方向となる側壁（本実施形態で示す符号７２，又は符号７４の一方の側壁）から、向かい合う側壁（本実施形態で示す符号７２，又は符号７４の他方の側壁）に向けた傾斜としてもよい。
【００３２】
本実施形態では、傾斜した区画壁をボックス本体の内部に設けることで、メダル受容領域とメダル排出領域とに区画し、使用状態（配置状態）に応じてキャッシュボックスの上下を反転させるようにしているが、これに限定する必要はなく、例えば使用状態に応じて、キャッシュボックスの位置をずらすことも可能である。以下では、ホッパー装置の構成が本実施形態と同一の構成からなるので、ホッパー装置においては、同一の符号を付して説明する。
【００３３】
図７に示すように、本実施形態と同様に、キャッシュボックス１００をボックス本体（箱本体）１０１と、ボックス本体１０１の前面上部設けられる把手部１０２とから構成する。ボックス本体１０１を、上面が開口された箱形状から構成する。また、その底面１０３であって、把手部１０２が設けられる端縁部となる箇所に開口１０４を設ける。このボックス本体１０１の内部に、略クランク形状の区画壁１０５を設ける。これにより、ボックス本体１０１の内部が、上面及び下面が開口されたメダル排出領域（遊技媒体排出領域）１０６と、上面のみが開口されたメダル受容領域（遊技媒体受容領域）１０７とに区画される。
【００３４】
また、ボックス本体１０１の側壁１０１ｂ，１０１ｄであって、その長手方向の略中央下部に、略コ字状のスリット１１０，１１１を設ける。これらスリット１１０，１１１を設けることで翻クス本体の側壁１０１ｂ、１０１ｄのそれぞれに、係止片１１２，１１３が形成される。これら係止片１１２，１１３の先端部には、ボックス本体１０１から外部に向けて突出する突起１１４，１１５が設けられている。なお、キャッシュボックス１００の長手方向において、突起１１４と突起１１５との位置は、同一の位置となるように設けられている。
【００３５】
図８に示すように、収納箱１２０の底面１２０ａには、底面１２０ａから突出するガイド片１２１、１２２が、回収口１２３を挟んで、且つ所定の間隔を空けて設けられている。なお、所定の間隔とは、ボックス本体１０１の幅と同一、或いはボックス本体１０１の幅よりも若干広い間隔である。ガイド片１２１には、上述した突起１１４とそれぞれ係合される係合凹部１２５，１２６が設けられ、ガイド片１２２には、上述した突起１１５とそれぞれ係合される係合凹部１２７，１２８が設けられている。なお、収納箱１２０の前後方向において、ガイド片１２１の係合凹部１２５とガイド片１２２の係合凹部１２７との位置、ガイド片１２１の係合凹部１２６とガイド片１２２の係合凹部１２８との位置は同一の位置となるように設けられている。
【００３６】
図９に示すように、例えばメダル回収機構が設置されていない島設備に配設されたスロットマシンの場合には、ホッパー装置５５の貯留部６０に設けられた送出口６１の下方に、キャッシュボックス１００のメダル受容領域１０７が位置するように配置する（以下、この位置を第１配置状態と称する）。なお、このように配置したときには、ボックス本体１０１に設けられる係止片１１２の突起１１４と係合凹部１２５とが係合され、係止片１１３の突起１１５と係合凹部１２７とが係合される。これにより、キャッシュボックス１００が第１配置状態に保持される。この状態では、送出口６１から送り出されるメダルは、キャッシュボックス１００のメダル受容領域１０７に落下する。これにより、メダルがメダル受容領域１０７に貯留される。
【００３７】
図１０に示すように、島設備にメダル回収機構が設置されている遊技場のスロットマシンの場合には、ホッパー装置５５の貯留部６０に設けられた送出口６１の下方に、キャッシュボックス１００のメダル排出領域１０６が位置するように配置される（以下、この位置を第２配置状態と称する）。なお、このように配置したときには、ボックス本体１０１に設けられる係止片１１２の突起１１４とガイド片１２１の係合凹部１２６とが係合され、ボックス本体１０１に設けられる係止片１１３の突起１１５とガイド片１２２の係合凹部１２８とが係合される。この状態では、収納箱１２０の回収口１２３の上部にキャッシュボックス１００の開口１０３が位置しているので、送出口６１から送り出されるメダルは、キャッシュボックス１００のメダル排出領域１０６の内部に落下した後、開口１０３、回収口１２３の順に通過し、メダル回収機構によって回収される。
【００３８】
なお、キャッシュボックス１００の配置状態を、第１配置状態から第２配置状態へと変更する場合には、キャッシュボックス１００を収納箱１２０の内部に押し込むことになる。このキャッシュボックス１００を収納箱１２０の内部に押し込むと、係止突起１１４と係合凹部１２５との係合が、係止突起１１５と係合凹部１２７との係合がそれぞれ解除される。この係合が解除された後も、キャッシュボックス１００が収納箱１２０の内部に押し込まれるので、係止突起１１４が係合凹部１２６に入り込み、係止突起１１４と係合凹部１２６とが係合される。同時に、係止突起１１５が係合凹部１２８に入り込み、係止突起１１５と係合凹部１２８とが係合される。これにより、キャッシュボックス１００が第２配置状態に保持される。なお、係止片１１２，１１３をボックス本体の側壁の一部を利用してそれぞれ設けることで、例えばキャッシュボックス１００が人工樹脂から形成されている場合には、係止片１１２，１１３は弾性を備えていることになるから、例えば係止片１１２の突起１１４を係合凹部１２５又は係合凹部１２６に係合させる際、或いは係合を解除させる際には、係止片１１２が撓むことになる。なお、係止片１１３も同様である。
【００３９】
また、キャッシュボックスをその使用状態に応じてスライドさせる場合において、キャッシュボックスのスライド方向は、収納箱の前後方向に限定する必要はなく、収納箱の幅方向にスライドさせるようにしてもよい。この場合には、メダル排出領域とメダル受容領域とを、キャッシュボックスの幅方向に併設するようにすればよい。また、キャッシュボックスを第１配置状態、第２配置状態で位置決めする方法は、上述した構成に限定する必要はなく、適宜の構成で行うことが可能である。
【００４０】
上述した２つの実施形態においては、メダルを用いて遊技を行うスロットマシンについて説明しているが、これに限定する必要はなく、例えば、パチンコ球を用いて遊技を行うスロットマシンに本発明を用いることも可能である。
【図面の簡単な説明】
【００４１】
【図１】島設備に配設されるスロットマシン、及びその近傍の構成を示す斜視図である。
【図２】スロットマシンのホッパー装置近傍の構成を示す斜視図である。
【図３】第１配置状態となるキャッシュボックスの外観を示す斜視図である。
【図４】第２配置状態となるキャッシュボックスの外観を示す斜視図である。
【図５】第１配置状態となるキャッシュボックス近傍を示す断面図である。
【図６】第２配置状態となるキャッシュボックス近傍を示す断面図である。
【図７】他の実施形態のキャッシュボックスの外観を示す斜視図である。
【図８】ホッパー装置近傍の構成を示す斜視図である。
【図９】第１配置状態となるキャッシュボックス近傍を示す断面図である。
【図１０】第２配置状態となるキャッシュボックス近傍を示す断面図である。
【符号の説明】
【００４２】
１０  スロットマシン
１１  島設備
２５，１２０  収納箱
２５ａ，１２０ａ  底面
３０  筐体
４０  メダル（遊技媒体）
５５  ホッパー装置（払出装置）
６０  貯留部
６１  送出口
６２，１２３  回収口
６５，１００  キャッシュボックス（遊技媒体受容箱）
６６，１０１  ボックス本体（箱本体）
７１〜７４  側壁
８０，１０５  区画壁
８０ａ  傾斜部
８５，１０７  メダル受容領域（遊技媒体受容領域）
８６，１０６  メダル排出領域（遊技媒体排出領域）
９５  メダル回収機構
【図１】
2008011909.tif 000003
【図２】
2008011909.tif 000004
【図３】
2008011909.tif 000005
【図４】
2008011909.tif 000006
【図５】
2008011909.tif 000007
【図６】
2008011909.tif 000008
【図７】
2008011909.tif 000009
【図８】
2008011909.tif 000010
【図９】
2008011909.tif 000011
【図１０】
2008011909.tif 000012